(57)【要約】本発明は複数の金融情報と認証情報が貯蔵された加入者身元確認カードを移動通信端末機に着脱させて，場所に制限されなくて金融サービスを利用することができるようにする。本発明は，加入者電話番号，金融情報，認証情報，個人情報が貯蔵されているＵＩＭ（Ｕｓｅｒ  Ｉｄｅｎｔｉｆｉｃａｔｉｏｎ  Ｍｏｄｕｌｅ）カードを装着した移動通信端末機にユーザパスワードを入力して，入力されたパスワードが同一であれば，貯蔵された認証情報を介して認証を受けた次に，利用者が要求したサービス，例えば，決済サービス，取引内訳照会サービス，先払いカード充填サービスなどが行われるようになる。
2005525632.tif 000002
【特許請求の範囲】
【請求項１】
加入者電話番号，金融情報，認証情報，個人情報が貯蔵されている加入者身元確認カードの挿入／判読／記録が可能であり，無線通信を介したインターネット接続及び近距離通信モジュールを利用した近距離無線通信が可能な移動通信端末機の利用方法において，
移動通信端末機の加入者身元確認カードスロットに挿入された加入者身元確認カードに貯蔵された加入者電話番号，金融情報，認証情報，個人情報を読んで，入力されたユーザパスワードとの同一可否を判断する段階と；
前記判断結果が同一である場合，決済サービス，取引内訳照会サービス，先払いカード充填サービス，チケット発行及び利用サービスまたは交通カード発行及び利用サービスメニューを出力してユーザが希望するサービスの選択ができるようにする段階と；
前記ユーザに選択されたサービスによってインターネットを介してサービス提供システムに接続して該サービスを提供受ける段階と；を含むことを特徴とする加入者身元確認カードに金融情報を内蔵した移動通信端末機利用方法。
【請求項２】
前記決済サービス段階は，
サービス提供システムの決済処理システムがショッピングモール，購買品目，購買金額などの購買情報と決済手段情報を伝送受ける段階と；
前記伝送された情報を介してカード発行社または金融機関に接続して，認証を受けて該当購買金額の決済を完了する段階と；
決済が完了すると決済確認メッセージを移動通信端末機に伝送して，移動通信端末機はユーザに決済確認メッセージを出力して，加入者身元確認カードのメモリーに決済内訳を貯蔵する段階を含むことを特徴とする，請求項１に記載の加入者身元確認カードに金融情報を内蔵した移動通信端末機利用方法。
【請求項３】
決済手段が先払いカードの場合，前記決済を完了する段階は，加入者身元確認カードの残額情報を伝送受けて決済が行われることを特徴とする，請求項１に記載の加入者身元確認カードに金融情報を内蔵した移動通信端末機利用方法。
【請求項４】
前記先払いカード充填サービス段階は，希望する充填金額，加入金融機関，口座情報，認証情報などの充填要求情報をサービス提供システムの先払いカード充填システムが伝送受ける段階と；
前記伝送受けた充填要求情報を利用して該当金融機関に接続して残額照会を要求して，該当口座の残額情報を伝送受ける段階と；
前記伝送受けた該当口座の残額と希望充填金額を比較して，残額が不足する場合には充填失敗処理をし，残額が充填金額以上である場合には金融機関に充填要求をする段階と；
充填要求が受入れられた場合充填確認メッセージを移動通信端末機に伝送して，充填確認メッセージを受信した移動通信端末機は加入者身元確認カードの先払いカード残額情報を充填金額を合せた金額で更新して，ユーザに充填確認メッセージを出力した後，充填内訳を加入者身元確認カードのメモリーに貯蔵する段階と；を含むことを特徴とする，請求項１に記載の加入者身元確認カードに金融情報を内蔵した移動通信端末機利用方法。
【請求項５】
前記チケット発行及び利用サービス段階は，
サービス提供システムのチケット発行システムがチケット購入申請信号を伝送受ける段階と；
移動通信端末機に購買可能なチケット情報を提供して，ユーザにより選択されたチケット情報とチケット購買金額の決済手段情報を受信する段階と；
伝送された情報によって決済を完了して，移動通信端末機で購買完了したチケットを発行して，移動通信端末機は発行されたチケット情報をユーザに表示して取引内訳及び発行されたチケット情報を加入者身元確認カードのメモリーに貯蔵する段階と；
前記加入者身元確認カードのメモリーに貯蔵されたチケットを利用する段階と；を含むことを特徴とする，請求項１に記載の加入者身元確認カードに金融情報を内蔵した移動通信端末機利用方法。
【請求項６】
音声通話と共にインターネット接続を介した無線データ通信が可能な移動通信端末機において，加入者電話番号，金融情報，認証情報，個人情報が貯蔵されている加入者身元確認カードと；
前記加入者身元確認カードが挿入され，挿入された加入者身元確認カードメモリーの情報に対する判読／記録をする加入者身元確認カードスロットを含むことを特徴とする，加入者身元確認カードに金融情報を内蔵した移動通信端末機。
【請求項７】
専用決済端末機と近距離通信をするための近距離通信モジュールをさらに含むことを特徴とする，請求項６に記載の加入者身元確認カードに金融情報を内蔵した移動通信端末機。
【請求項８】
ＩＣカードの発給のためのサーバとそのサーバ及び／または無線通信網により認証されたＩＣチップが装／脱着可能な携帯電話間に前記無線通信網及び／またはインターネットを媒介でデータ通信するにおいて，前記サーバで，有線インターネット，無線インターネットまたはオフラインを介してＩＣカードに対する発給申請メッセージの受信時該当申請者に特定の個人識別情報を付与して，その発給申請メッセージにより指定された該当携帯電話に発給対象であることを通知する第１段階と；
前記指定された携帯電話で前記通知メッセージの受信時，キー入力された個人識別情報を前記サーバに伝送する第２段階と；
前記サーバで，前記付与された個人識別情報と前記伝送されて受信された個人識別情報が一致するかを判断する第３段階と；
前記第３段階の判断結果一致する場合，前記指定された携帯電話内に装着されたＩＣチップと前記サーバ間に既に設定された約束によって相互認証を遂行する第４段階と；
前記第４段階の結果相互認証された場合，前記サーバから前記携帯電話で前記申請されたＩＣカードを用いるようにしてくれる応用プログラムをダウンロードする第５段階と；
前記携帯電話で，前記ダウンロードされた応用プログラムを前記装着されたＩＣチップのメモリーに貯蔵して前記ＩＣカードを使用するようにすると共に，前記ダウンロード完了結果を前記サーバに伝送する第６段階と；
前記サーバで，前記ダウンロード完了結果メッセージの受信時前記ＩＣカードの発給完了を知らせる情報を該当する発給社の該サーバに提供してリアルタイム使用登録を完了するようにする第７段階と；を含んで構成されたことを特徴とする，加入者身元確認カードに金融情報を内蔵した移動通信端末機を利用してＩＣカードを発給して管理する方法。
【請求項９】
前記携帯電話で，解約キー及び本人確認のために約束された秘密キー情報の入力時，前記サーバに解約要求を通報する第８段階と；
前記サーバで，前記通報された要求に基づいて約束された解約キー情報が含まれた前記貯蔵された応用プログラムの削除命令を前記携帯電話側に伝送する第９段階と；
前記携帯電話で，前記解約キー情報に基づいて前記削除命令を検証して，その検証結果によって前記貯蔵された応用プログラムを削除して，前記削除完了時その完了情報を前記サーバに伝送する第１０段階と；
前記サーバで，前記受信された削除完了情報によるカード解約情報を該当する発給社の該サーバに提供してリアルタイム解約を完了するようにする第１１段階と；をさらに具備して，前記第１〜第７段階の遂行で発給されたＩＣカードを解約することを特徴とする，請求項８に記載の加入者身元確認カードに金融情報を内蔵した移動通信端末機を利用してＩＣカードを発給して管理する方法。
【請求項１０】
前記第１段階の前記発給対象通知は，短文メッセージを介してなされることを特徴とする，請求項８に記載の加入者身元確認カードに金融情報を内蔵した移動通信端末機を利用してＩＣカードを発給して管理する方法。
【請求項１１】
前記発給社の前記サーバは，そのサーバと連係した該当する流通端末と前記リアルタイム使用登録情報を根拠にして相互通信することを特徴とする，請求項８に記載の加入者身元確認カードに金融情報を内蔵した移動通信端末機を利用してＩＣカードを発給して管理する方法。
【請求項１２】
前記携帯電話は，前記ダウンロードされた応用プログラムによって前記流通端末と相互無線通信して前記ＩＣカードを用いることを特徴とする，請求項１１に記載の加入者身元確認カードに金融情報を内蔵した移動通信端末機を利用してＩＣカードを発給して管理する方法。
【請求項１３】
前記無線通信は，赤外線送受信方式の通信であることを特徴とする，請求項１２に記載の加入者身元確認カードに金融情報を内蔵した移動通信端末機を利用してＩＣカードを発給して管理する方法。
【請求項１４】
移動通信端末機に装着及び脱着可能なバッテリーパックにおいて，バッテリーセルが安着されて上面が開放された安着溝を有して下部外面は前記移動通信端末機のバッテリーパック装着溝に結合される下部ケースと；
前記溝内の前記セルの上面にそのセルと絶縁されて設置された印刷回路基板と；
前記印刷回路基板上部に一定大きさの空間部を有するように前記下部ケースの上部に結合されて前記安着溝の上部を覆うが，前記空間部の一側を開放する開口部が形成されるように前記下部ケースと結合した上部ケースと；
前記開口部を介して前記空間部に出入可能で上面にＩＣチップの装着溝が形成されたパレットと；
前記ＩＣチップが装着された前記パレットを前記空間部に挿入した時前記ＩＣチップと前記印刷回路基板を電気的に連結するコネクターと；を含んで構成されたことを特徴とする，金融情報を持ったＩＣチップが装着可能な移動通信端末機用バッテリーパック。
【請求項１５】
前記印刷回路基板と前記パレット間は，前記コネクターを除外した部分が絶縁されていることを特徴とする，請求項１４に記載の金融情報を持ったＩＣチップが装着可能な移動通信端末機用バッテリーパック。
【請求項１６】
前記印刷回路基板は，前記ＩＣチップと前記移動通信端末機間を電気的に連結することを特徴とする，請求項１４に記載の金融情報を持ったＩＣチップが装着可能な移動通信端末機用バッテリーパック。
【請求項１７】
交通カード機能を持ったＩＣチップが内蔵された移動通信端末機用バッテリーパックにおいて，前記ＩＣチップとの信号連結のための接続部，前記接続部のアンテナ用端子に連結されて形成されたループアンテナ，及び前記バッテリーの安全のためのバッテリー保護回路部と前記ＩＣチップを制御するマイコン回路部を有した印刷回路基板があって，前記接続部が前記ＩＣチップに電気的に連結されるように前記印刷回路基板が前記バッテリーパックの一面上に装着されたことを特徴とする，無線周波数アンテナを内蔵した移動通信端末機用バッテリーパック。
【請求項１８】
前記ループアンテナは前記印刷回路基板上の縁に沿って前記アンテナ用端子と連結されるループ型溝が掘られて，その溝内に巻かれた導線で構成されたことを特徴とする，請求項１７に記載の無線周波数アンテナを内蔵した移動通信端末機用バッテリーパック。
【請求項１９】
前記アンテナ用端子に連結されてアンテナと饋電線間のインピーダンスマッチングのためのインピーダンスマッチング回路部が前記印刷回路基板上にさらに具備されたことを特徴とする，請求項１７に記載の無線周波数アンテナを内蔵した移動通信端末機用バッテリーパック。
【請求項２０】
交通カード機能を持ったＩＣチップが本体に内蔵された移動通信端末機において，マイクロストリップライン，そのマイクロストリップラインと前記ＩＣチップ間を連結するアンテナ用接続端子が形成された印刷回路基板が前記移動通信端末機に装／脱着されて電源を供給するバッテリーパックの一面上に装着されたことを特徴とする無線周波数アンテナを内蔵した移動通信端末機用バッテリーパック。
【請求項２１】
前記アンテナ用接続端子に連結されて前記マイクロストリップラインと饋電線間のインピーダンスマッチングのためのインピーダンスマッチング回路部が前記印刷回路基板上にさらに具備されたことを特徴とする，請求項２０に記載の無線周波数アンテナを内蔵した移動通信端末機用バッテリーパック。
【発明の詳細な説明】
【技術分野】
【０００１】
本発明は，加入者身元確認カードが内蔵された移動通信端末機を利用した決済／充填方法に係り，特に複数の金融情報と認証情報が貯蔵された加入者身元確認カードを移動通信端末機に着脱可能にし，近距離無線通信モジュールを具備してオンラインとオフラインに区別なく決済／充填を可能にさせるための，金融情報を有した加入者身元確認カードが内蔵された移動通信端末機及びその利用方法に関する。
【背景技術】
【０００２】
一般に，ＩＣカード（クレジットカード，直払いカード，先払いカード，交通カード）は，専用端末機において決済または充填をすることができる。そして，インターネットを利用したオンライン決済時にも，該当ショッピングモールで物品を購買した後カード番号と有効期間を入力して決済承認を受けることができる。しかし，カードを用いる方法は，物品代金決済時にカード番号及び有効期間をすべて入力するため，カードユーザの番号がハッキングなどで外部に露出してしまうという問題があった。
【０００３】
上記問題点を解決するために，従来技術に，例えば特許文献１が開示されている。特許文献１には，携帯通信端末機にカード固有番号を有する非接触式先払いカード用ＲＦチップを内蔵させて，先払いカード取引を可能にして，必要である時ごとにこの先払いカードの残額をインターネットを介して照会して充填させることができるシステムが記述されている。これは携帯通信端末機に非接触式ＲＦチップとアンテナコイルが内蔵されるので，別途にカードを所持する必要がない。また，サービス端末機でだけ確認可能なＲＦチップメモリーに貯蔵されている残額情報をウェブサーバを介して確認可能であり，先払いカード充填所にいちいち行かなくてもウェブサーバを介して充填することができるという利点がある。
【０００４】
しかし，上記ＲＦチップには金額情報がなく，カード固有番号だけ貯蔵されていて，カード固有番号別の実際の金額情報はウェブサーバに貯蔵されるので，決済時に加盟店端末機はウェブサーバに接続して残額情報を確認した後に決済を行う。したがって，迅速な決済が必要なバスや地下鉄の交通カードで用いる場合適当でない。そして，既存ＲＦカードを携帯電話内に付着しただけに過ぎないので，携帯電話との相互作用をすることができない。ユーザは，単純に会員加入または携帯電話購入で付与されたカード固有番号を介して，ウェブサーバで残額確認及び充填機能を遂行する。
【０００５】
また特許文献２には，携帯用電子機器内にコンビチップ（接触式スマートカードと非接触式スマートカードで構成された）を内蔵させて，残額確認，減算支払，加算充填の役割を接触式スマートカードで遂行して，残額確認，減算支払の役割は非接触式スマートカードで遂行する電子財布カード運営システムが記述されている。また，上記二つのスマートカードの電子財布情報貯蔵領域は，同期化して同一な電子財布情報を利用するようにしている。これは使用上の便宜性と迅速性及びデータ処理の安定性及び保安性が向上する効果がある。しかし，決済に用いることができる金額がコンビチップの電子財布情報貯蔵領域に貯蔵された残額にだけ限られるので，先払いカードとしての役割しかできなくてその使用範囲が狭いという問題があった。
【０００６】
【特許文献１】大韓民国特許公開第２０００−３７１８５号
【特許文献２】大韓民国特許公開１９９８−４６９２８号
【発明の開示】
【発明が解決しようとする課題】
【０００７】
そこで，本発明はこのような問題に鑑みてなされたもので，その目的とするところは，移動通信端末機と加入者を分離できるようにする着脱式の加入者身元確認（ＵＩＭ；Ｕｓｅｒ  Ｉｄｅｎｔｉｆｉｃａｔｉｏｎ  Ｍｏｄｕｌｅ，以下ＵＩＭと称する）カードに各種金融情報を貯蔵して無線通信を利用した金融情報の決済及び充填が可能なようにする，金融情報を有した加入者身元確認カードが内蔵された移動通信端末機及びその利用方法を提供することにある。
【０００８】
本発明の他の目的は，加入者情報を含むＩＣカードを有するバッテリーパックを提供することであって，このようなバッテリーパックにより移動通信端末機の構造や設計の変更なしに本発明の移動通信サービスを利用することができるようにする。
【課題を解決するための手段】
【０００９】
上記課題を解決するために，本発明のある観点によれば，加入者電話番号，金融情報，認証情報，個人情報が貯蔵されているＵＩＭカードの挿入／判読／記録が可能であり，無線通信を介したインターネット接続及び近距離通信モジュールを利用した近距離無線通信が可能な移動通信端末機の利用方法において，移動通信端末機のＵＩＭカードスロットに挿入されたＵＩＭカードに貯蔵された加入者電話番号，金融情報，認証情報，個人情報を読み込み，入力されたユーザパスワードとの同一可否を判断する段階と；上記判断結果が同一である場合，決済サービス，取引内訳照会サービス，先払いカード充填サービス，チケット発行及び利用サービスまたは交通カード発行及び利用サービスメニューを出力してユーザが希望するサービスの選択ができるようにする段階と；ユーザに選択されたサービスによってインターネットを介してサービス提供システムに接続して該サービスの提供を受ける段階を含むことを特徴とする金融情報を有した加入者身元確認カードが内蔵された移動通信端末機利用方法が提供される。
【００１０】
上記課題を解決するために，本発明の別の観点によれば，音声通話と共にインターネット接続を介した無線データ通信が可能な移動通信端末機において，加入者電話番号，金融情報，認証情報，個人情報が貯蔵されているＵＩＭカードと；上記ＵＩＭカードが挿入され，挿入されたＵＩＭカードメモリーの情報に対する判読／記録をするＵＩＭカードスロットを含むことを特徴とする金融情報を有した加入者身元確認カードが内蔵された移動通信端末機が提供される。
【００１１】
上記課題を解決するために，本発明の別の観点によれば，バッテリーセルが安着されて上面が開放された安着溝を有して下部外面は移動通信端末機のバッテリーパック装着溝に結合される下部ケースと；溝内のセルの上面にそのセルと絶縁されて設置された印刷回路基板と；印刷回路基板上部に一定大きさの空間部を有するように下部ケースの上部に結合されて安着溝の上部を覆うが，空間部の一側を開放する開口部が形成されるように下部ケースと結合した上部ケースと；開口部を介して空間部に出入可能で上面にＩＣチップ（ＩＣ  ＣＨＩＰ）の装着溝が形成されたパレット（Ｐａｌｅｔｔｅ）；及びＩＣチップが装着されたパレットを空間部に挿入した時ＩＣチップと印刷回路基板を電気的に連結するコネクターを含んで構成される移動通信端末機のバッテリーパックが提供される。
【発明の効果】
【００１２】
以上説明したように本発明によれば，移動通信端末機に挿入されるＵＩＭカード一つに各種カード情報が貯蔵されるので，決済のために別途に複数個のカードを所持する必要がなく，移動通信端末機の通信機能を利用してカードリーダー機が設置されない所でも決済が可能である。また，移動通信端末機の近距離通信モジュールを利用して決済が行なわれれば，決済端末機にカードを直接挿入する苦労を減らすことが出来る。そして，決済時にカード番号やパスワードなどの漏れを避けることができる。また，通信ローミングサービスだけでなく金融情報のローミングサービスも可能な利点がある。
【００１３】
また，無線通信網を利用して携帯電話内に各種カード及びＩＤなどの発給を受けたり，解約ができるようにしたりすることによって，別途のカード発給のための時間及び人力の浪費を減らすことができ，カード管理業務が容易になる効果が創出される。
【００１４】
また，本発明の移動通信端末機用バッテリーパックは，現在普及中の符号分割多重接続（ＣＤＭＡ；Ｃｏｄｅ  Ｄｉｖｉｓｉｏｎ  Ｍｕｌｔｉｐｌｅ  Ａｃｃｅｓｓ）の移動通信端末機の内部を機構的及び／または回路的に変更せずに，ＩＣチップを装着及び脱着可能となるため，移動通信端末機の量産性は極度に増大される。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
図１は本発明による全体システムの構成を概略的に示したブロック図であって，移動通信端末機１０，専用決済端末機３０，カード発行社４０，金融機関５０，ショッピングモール６０，サービス提供システム７０で構成されている。
【００１７】
移動通信端末機１０は，加入者身元確認（ＵＩＭ；ｕｓｅｒ  ｉｄｅｎｔｉｆｉｃａｔｉｏｎ  ｍｏｄｕｌｅ，以下ＵＩＭと称する）カード１２を装着及び判読することができる装置（スロット）と近距離無線通信が可能な近距離通信モジュールを備え，インターネット接続が可能である。無線通信で読み出されたＵＩＭカードの認証情報と金融情報を利用してカード承認を受けて，代金の決済，ＵＩＭカード残額の充填，チケット前売り，取引内訳照会などの役割をする。ＵＩＭカード１２のメモリーには加入者電話番号（ＭＩＮ；Ｍｏｂｉｌｅ  Ｉｄｅｎｔｉｆｉｃａｔｉｏｎ  Ｎｕｍｂｅｒ），個人識別番号（ＰＩＮ；Ｐｒｉｖａｔｅ  Ｉｄｅｎｔｉｆｉｃａｔｉｏｎ  Ｎｕｍｂｅｒ，以下ＰＩＮと称する），認証書などの認証情報及びユーザ名，住所，連絡先などの個人情報が記録されている。また，各種ＩＣカードの金融情報（クレジットカード，直払いカード，先払いカード，交通カード）が貯蔵されている。そして，ＵＩＭカード１２はマイクロ・プロセッサとメモリーを備え，金融情報の貯蔵及び更新が可能である。図面では簡略化のために移動通信基地局と移動通信会社の電話交換機のようなインターネット２０接続以前に位置する構成要素を省略した。
【００１８】
専用決済端末機３０は，加盟店に設置するＣＡＴ（Ｃｒｅｄｉｔ  Ａｕｔｈｏｒｉｚａｔｉｏｎ  Ｔｅｒｍｉｎａｌ）と同様のものであり，移動通信端末機１０と通信するための近距離無線通信モジュールを備えている。また，カード発行社４０や金融機関５０等とインターネット２０または付加価値通信網（ＶＡＮ；Ｖａｌｕｅ  Ａｄｄｅｄ  Ｎｅｔｗｏｒｋ）（図示せず）で接続されている。
【００１９】
カード発行社４０と金融機関５０はＵＩＭカード１２に貯蔵されている金融情報と認証情報を介して物品代金の決済承認，ＵＩＭカード１２残額の充填などの機能をする。
【００２０】
ショッピングモール６０は，オンライン購買及び決済が可能な商品販売システムであって，ユーザから伝送された決済手段情報（すなわち，ＵＩＭカード１２の金融情報）によりクレジットカードの場合にはカード発行社４０に認証を受けて，直払いカードの場合には該当金融機関５０に取引可能可否を，先払いカードの場合にはＵＩＭカード１２に残っている残額を比較して適切な場合決済を完了して，ＵＩＭカード１２で読み出されて伝送された個人情報を利用して購入物品を発送する機能をする。
【００２１】
サービス提供システム７０は，インターネット２０で連結した移動通信端末機１０と通信をし，挿入されたＵＩＭカード１２の認証情報，個人情報，金融情報を利用してカード発行社４０，金融機関５０，ショッピングモール６０と連係して各種サービスを提供する。サービス提供システム７０は，代金決済を処理する決済処理システム７２，ＵＩＭカード１２の先払いカード残額を充填する先払いカード充填システム７４，ＵＩＭカード１２の金融情報でチケット前売りを可能にし，移動通信端末機１０に前売りされたチケット情報を伝送するチケット発行システム７６，高速道路，地下鉄，バスなどの交通カードに対するサービスを提供する交通カード発行システム７８で構成されている。
【００２２】
図２は，本発明による移動通信端末機の構造を概略的に示したブロック図であって，図３および図４は，本発明による近距離通信モジュールを利用した決済システムの一実施形態を示した構成図である。
【００２３】
本発明による移動通信端末機１０は通常の移動通信端末機に認証情報，金融情報，個人情報が貯蔵されたＵＩＭカード１２を脱着，判読することができる。移動通信端末機１０は，ＵＩＭカードにデータを記録することができるＵＩＭカードスロット１０２を備え，専用決済端末機３０との近距離無線通信が可能な近距離通信モジュール１０５を備える。近距離通信モジュール１０５の通信は，ＲＦ，赤外線通信（ＩｒＤＡ；Ｉｎｆｒａｒｅｄ  Ｄａｔａ  Ａｓｓｏｃｉａｔｉｏｎ），Ｂｌｕｅｔｏｏｔｈなどの方式を利用することができる。そして，インターネット２０を介した決済，充填，チケット前売りなどは移動通信端末機の既存通信部を利用する。
【００２４】
図３と図４に示したように，専用決済端末機３０に設置した近距離通信モジュール３２と相互に通信をして決済が行われる。図３は，一般商店に設置した専用決済端末機３０であり，図４は映画館や地下鉄などの入口ゲートに設置した専用決済端末機３０を示す。
【００２５】
図５は本発明による移動通信端末機での各種サービス利用過程を示したフローチャートである。
【００２６】
まず，ＵＩＭカード１２を移動通信端末機１０のＵＩＭカードスロット１０２に挿入する（Ｓ１００）。ＵＩＭカード１２が挿入されると，移動通信端末機１０はＵＩＭカード１２が認識可能なカードなのか，正しく挿入されたのかを判断（Ｓ１０１）する。正しくない場合には，エラーメッセージなどをユーザに通知し，カード挿入失敗処理（Ｓ１０２）を行う。正しい場合には，ＵＩＭカード１２のメモリーに貯蔵されている金融情報，認証情報，個人情報を読む（Ｓ１０３）。
【００２７】
その次に正当なユーザであることを確認するためにパスワード入力を要求して，パスワードが入力（Ｓ１０４）されれば読まれた認証情報のパスワードと一致しているか判断（Ｓ１０５）する。一致しない場合には利用不可メッセージを出力（Ｓ１０６）して，ユーザの再入力を要求する。一致する場合には，サービスメニューを出力してユーザのサービス選択（Ｓ１０７）を待つ。ユーザは出力された決済（Ｓ１０８），取引内訳照会（Ｓ１０９），先払いカード充填（Ｓ１１０），チケット発行及び利用（Ｓ１１１），交通カード発行及び利用（Ｓ１１２）などのサービスメニューで希望するサービスを選択して利用する。
【００２８】
以下，各サービス段階をさらに詳細に説明する。
【００２９】
図６〜図８は，上述したサービスメニューで決済を選択する場合のサービスフローチャートであって，決済以前にショッピングモールなどでの決済以前の過程（購買品物の選択，決済手段選択など）は完了したものと仮定している。
【００３０】
図６は本発明の第１実施形態によるクレジットカードを利用した決済過程を示したフローチャートである。
【００３１】
サービス提供システム７０の決済処理システム７２で決済開始指示を送れば，ユーザはショッピングモール，購買品目，購買金額などの購買情報を入力して決済操作をする。この時，購買情報はショッピングモールなどで自動入力されるようにすることもできる。ユーザによる決済操作が行われれば，図５のＳ１０３過程を介してＵＩＭカード１２で読み出されたクレジットカード情報と認証情報が決済処理システム７２に伝送されて，決済処理システム７２はカード発行社４０に信用照会を要求して，信用照会の結果，カード使用承認が行われれば決済要求をして決済を完了する。決済が完了すると決済確認メッセージを移動通信端末機１０に伝送され，移動通信端末機１０はユーザに決済確認メッセージを出力して，ＵＩＭカード１２のメモリーに決済内訳を貯蔵する。
【００３２】
図７は，本発明の第２実施形態による直払いカードを利用した決済過程を示したフローチャートであり，図８は本発明の第３実施形態による先払いカードを利用した決済過程を示したフローチャートである。
【００３３】
図６のように決済処理システム７２から決済開始指示を受けたユーザは購買情報を入力して決済操作をする。そうすれば，移動通信端末機１０はＵＩＭカード１２で読み出された直払いカード情報と認証情報を決済処理システム７２に伝送する。決済処理システム７２は該当金融機関５０に登録照会及び残額情報を要求して，決済処理システム７２は該当金融機関５０のユーザ口座の残額と決済金額を比較して残額が不足する場合には決済失敗処理をし，残額が決済金額以上である場合には金融機関５０に決済要求をして，決済が完了すると決済確認メッセージを移動通信端末機１０に伝送してユーザに出力されるようにする。決済が完了すると移動通信端末機１０は決済内訳をＵＩＭカード１２のメモリーに貯蔵する。
【００３４】
先払いカードを利用した決済過程も図７と同様であるが，但し残額情報を金融機関５０から受けとるのではなく，移動通信端末機１０からＵＩＭカード１２の先払いカード残額情報を直接受けて，決済が完了した場合移動通信端末機１０によりＵＩＭカード１２の先払いカード残額が該当決済金額だけ差し引きされた後貯蔵される過程が異なる。
【００３５】
このような決済サービス以前にショッピングモール６０で商品配送地等の情報入力はＵＩＭカード１２の個人情報がショッピングモール６０に自動伝送されるようにして，ユーザの受動入力が要らないようにする方法を利用するならば決済処理をより簡易にすることができる。
【００３６】
図９は本発明の第４実施形態による先払いカードの充填過程を示したフローチャートである。
【００３７】
ユーザの先払いカード充填要求を受けた先払いカード充填システム７４は，移動通信端末機１０に充填開始指示をして，ユーザは希望する充填金額，加入金融機関，口座情報，認証情報などの充填要求情報を先払いカード充填システム７４に伝送する。ここでも充填金額以外の情報は，ＵＩＭカード１２で読み出されて伝送される方法が望ましい。先払いカード充填システム７４は伝送された情報を利用して該当金融機関５０に接続して残額照会を要求して，金融機関５０は該当口座の残額情報を伝送する。先払いカード充填システム７４は該当口座の残額とユーザが入力した希望充填金額を比較して，残額が不足する場合には充填失敗処理をし，残額が充填金額以上である場合には金融機関５０に口座振込み要求のような充填を要求して，要求が受入れられた場合充填確認メッセージを移動通信端末機１０に伝送する。充填確認メッセージを受信した移動通信端末機１０はＵＩＭカード１２の先払いカード残額情報を充填金額を合せた金額で更新して，ユーザに充填確認メッセージを出力した後，充填内訳をＵＩＭカード１２のメモリーに貯蔵する。
【００３８】
この過程は交通カード発行システム７８を介した交通カード残額の充填と同一である。
【００３９】
図１０は本発明の第５実施形態によるチケット発行過程を示したフローチャートであり，図１１は本発明の第６実施形態によるチケット使用過程を示したフローチャートである。上記チケット発行とは，各種文化公演や映画票などを前売りすることを言う。
【００４０】
ユーザが図５のチケット発行及び利用メニューを選択して，チケット購入申請操作をすれば移動通信端末機１０はチケット発行システム７６にチケット購入申請信号を伝送して，この信号を受信したチケット発行システム７６は，移動通信端末機１０に購買が可能なチケット情報（公演内容，残余座席，価格）を提供する。ユーザは表示されたチケット情報のうち購買しようとするチケットを選択して，決済手段はクレジットカード，直払いカード，先払いカードのうちいずれにするか選択する。
【００４１】
ユーザによるチケット選択と決済手段選択が完了すると，移動通信端末機は該当情報（選択されたチケット情報，決済手段情報）をチケット発行システム７６に伝送する。チケット発行システム７６は伝送された情報によって図６，図７，または図８の過程を経て決済を完了した後，移動通信端末機１０で購買完了したチケットを発行する。移動通信端末機１０は発行されたチケット情報を表示して，取引内訳及び発行されたチケット情報をＵＩＭカード１２のメモリーに貯蔵する。
【００４２】
このような過程を介して発行されたチケットの利用過程を次に説明する。
【００４３】
ユーザがゲートを通過する前に移動通信端末機１０にチケット提示操作をすれば，移動通信端末機１０はＵＩＭカード１２のメモリーに既に貯蔵されていたチケット情報をゲートに設置している専用決済端末機３０に伝送する。ゲートの専用決済端末機３０は伝送されたチケット情報が正しいのか判断してチケット承認をして，承認信号を移動通信端末機１０に伝送してユーザに表示できるようにする。承認信号伝送が完了するとゲートの専用決済端末機３０はチケット発行システム７６でチケット使用情報を伝送して，移動通信端末機１０にチケット使用表示をし，すべてのものが完了するとゲート遮断バーなどを開いてユーザの入場を許可する。
【００４４】
図１２〜図１３は本発明による取引内訳照会画面の一例を示した例示図である。
【００４５】
決済，先払いカード／交通カード充填，チケット予約などの取り引きが成立すればその内訳は上述したようにＵＩＭカード１２のメモリーにすべて貯蔵される。貯蔵された情報は図１２または図１３のように特定サービス別に整理されて出力することができ，日付，金額，取引内容のような特定検索条件によって整理して出力することもできる。
【００４６】
決済，チケット発行や交通／先払いカードの充填により支払された金額は金融機関でない移動通信端末機１０の通信費用（電話料金）に合算されて請求する方法も利用することができる。
【００４７】
また，上記ＵＩＭカード１２には加入者電話番号，ＰＩＮなどが貯蔵されているので，他の移動通信端末機１０に挿入して用いるにしても，複雑な手順が要らなく自身の移動通信端末機１０で利用することができる。したがって，通信ローミングサービスと金融情報のローミングサービス（ｒｏａｍｉｎｇｓｅｒｖｉｃｅ）を共に提供することができる。
【００４８】
図１４は本発明の第７実施形態によるＩＣカードの発給過程を説明するフローチャートである。無線通信網及びインターネットを介して発給対象者の指定携帯電話で各種身分証や，免許証または信用カードのようなＩＣカードを発給してオンラインやオフラインで用いることができるようにする過程を説明する。本実施形態ではそのＩＣカード発給過程の一実施形態でクレジットカードの発給過程を説明する。図１４で，発給サーバ１４１は，図１のサービス提供システム７０内に具備されて，カード社サーバ１４２は，図１のカード発行社４０内に具備される。
【００４９】
先に，ワップ（ＷＡＰ）に基盤した無線インターネットまたはウェブ（ＷＥＢ）に基盤した有線インターネットを介して申請者からのカード発給要求メッセージが前記ＩＣカード発給サーバ１４１に受付されれば（Ｓ３０１），発給サーバ１４１は受付されたカード発給要求メッセージを根拠にして特定の個人身元確認番号（Ｐｅｒｓｏｎａｌ  Ｉｄｅｎｔｉｆｉｃａｔｉｏｎ  Ｎｕｍｂｅｒ：ＰＩＮ）を登録してワップまたはウェブを介して申請者側に提供した後その申請者との接続を終了する（Ｓ３０２）。
【００５０】
続いて，発給サーバ１４１は，無線通信網２０の短文メッセージサービスサーバ（Ｓｈｏｒｔ  Ｍｅｓｓａｇｅ  Ｓｅｒｖｉｃｅ  Ｓｅｒｖｅｒ：ＳＭＳＳ）（図示せず）に受付されたカード発給要求メッセージにより指定された該移動通信端末機１０側にＩＣカードに対する発給対象であることを通知するように要求して（Ｓ３０３），ＳＭＳＳは短文メッセージサービスセンター（Ｓｈｏｒｔ  Ｍｅｓｓａｇｅ  Ｃｅｎｔｅｒ：ＳＭＳＣ）（図示せず）を介して前記要求された発給対象通知内容を短文メッセージ形態で前記移動通信端末機１０側に通知する（Ｓ３０４）。
【００５１】
移動通信端末機１０は，受信したＳＭＳメッセージに基づいて自身が発給対象であることを認知して，移動通信端末機１０のユーザによりＰＩＮ情報がキー入力されると（Ｓ３０５），その入力されたＰＩＮ情報を前記発給サーバ１４１側に伝送する（Ｓ３０６）。
【００５２】
発給サーバ１４１は，登録されたＰＩＮ情報と移動通信端末機１０から受信されたＰＩＮ情報が相互に一致するかを判断して一致しなかったら終了するようにする（Ｓ３０７）。
【００５３】
続けて段階Ｓ３０７でＰＩＮ情報が一致するならば，移動通信端末機１０に内蔵されたＩＣチップ（すなわち，ＵＩＭカード）１２の有効性と発給サーバ１４１の有効性を相互検証するためにクリプトグラム（Ｃｒｙｐｔｏｇｒａｍ）により既に設定された約束による相互認証手順を遂行する（Ｓ３０８）。
【００５４】
段階Ｓ３０８で，ＩＣチップ１２と発給サーバ１４１間の相互認証が完了すると（Ｓ３０９），発給サーバ１４１は申請されたＩＣカードを用いるようにしてくれる応用プログラムを選択して前記移動通信端末機１０でダウンロードして（Ｓ３１０），前記移動通信端末機１０は前記ダウンロードされた応用プログラムを前記ＩＣチップ１２のメモリーに貯蔵すると共にこれに対する完了事実を前記発給サーバ１４１に知らせて応答する（Ｓ３１１）。
【００５５】
最後に，前記発給サーバ１４１は前記段階Ｓ３１１の応答受信時前記ＩＣカードの発給完了を知らせる情報を該当するカード社サーバ４１２に提供して（Ｓ３１２），前記発給されたＩＣカードに対する使用登録をリアルタイムで完了することによって，図３に示したように前記移動通信端末機１０と前記カード社サーバ１４２に属した前記専用決済端末機３０との間にＩｒＦＭ通信方式のような無線通信で前記ＩＣカードが使われることができるようにする（Ｓ３１３）。
【００５６】
段階Ｓ３１３で言及されたＩＣカードの使用時，カード社サーバ１４２はそのサーバ１４２と連係した該当する流通端末としての専用決済端末機３０と使用登録されたＩＣカードに対する情報を根拠にして相互通信する。移動通信端末機１０は，応用プログラムを根拠にして専用決済端末機３０と相互ＩｒＦＭメッセージ形式で無線通信してＩＣカードをその用途によって使用するようにする。
【００５７】
図１５は本発明の第８実施形態によるＩＣカードの解約過程を説明するフローチャートであって，図１４のような過程を介して発給されたＩＣカードを解約する過程を示したフローチャートである。
【００５８】
移動通信端末機１０は，約束された解約キーが入力されると（Ｓ４０１），例えば“ＰＩＮを入力してください。”のようなメッセージを表示窓にディスプレイして本人確認のためのＰＩＮの入力を要求する（Ｓ４０２）。これによりＰＩＮが入力されると（Ｓ４０３），その入力されたＰＩＮ情報が既に設定されたＰＩＮ情報と一致するかを判断して（Ｓ４０４），一致しないと再入力を要求して一致すれば発給サーバ１４１に解約要求通報メッセージを伝達する（Ｓ４０５）。
【００５９】
発給サーバ１４１は，ＩＣカードの解約のための該当応用プログラムの削除命令メッセージを，暗号化された発給社の解約キーと共に移動通信端末機１０に伝送する（Ｓ４０６）。
【００６０】
移動通信端末機１０は約束された相互暗号文（ｃｒｙｐｔｏｇｒａｍ）により伝送されて受信された解約キーの検証を遂行して（Ｓ４０７），その検証結果を判断する（Ｓ４０８）。検証が正常に完了すると，図１４の段階Ｓ３１０でダウンロードした使用中のＩＣカードの応用プログラムを削除した後（Ｓ４０９），その削除完了を知らせる応答メッセージを発給サーバ１４１に伝達する（Ｓ４０９）。
【００６１】
発給サーバ１４１は，伝えられた削除完了応答メッセージに基づいて，カード解約情報を発給社としてのカード社サーバ１４２に伝達して（Ｓ４１０），カード社サーバ１４２は解約のためのＩＣカードに決済残額があるかを判断した後（Ｓ４１１），決済残額がなければ解約を完了して（Ｓ４１３），決済残額があれば解約を留保するようにする（Ｓ４１４）。
【００６２】
図１６は，本発明の一実施形態によるＩＣチップが装着可能な移動通信端末機用バッテリーパックの縦断面図であって，移動通信端末機用バッテリーパックに各種機能を持ったＩＣ（ＩＣ：Ｉｎｔｅｇｒａｔｅｄ  Ｃｉｒｃｕｉｔ）チップ（すなわち，図１のＵＩＭカード１２）を装着及び脱着可能なようにして，そのＩＣチップが装着されたバッテリーパックを有した移動通信端末機を用いる場合該当ＩＣチップによる各種機能を活用できるようにするためのことである。
【００６３】
同図面に示したように，本発明のバッテリーパック６００は下部ケース６１０，バッテリーセル６２０，印刷回路基板６３０，コネクター６４０，上部ケース６５０，パレット６６０，ＩＣチップ６７０，異物防止部６８０及び各構成要素間の必要部分を絶縁するインシュレーター（Ｉｎｓｕｌａｔｏｒ）６９１〜６９３で構成されている。
【００６４】
下部ケース６１０は，平面形成された下面部６１１とその下面部６１１の縁から上向延びて側面を形成する側面部６１２で構成されて，下面部６１１と側面部６１２が内部空間としての安着溝６１３を形成している。
【００６５】
バッテリーセル６２０は通常リチウム−イオン（Ｌｉ−ｉｏｎ）セルで構成され，安着溝６１３内下部にインシュレーター６９１，６９２により外表面が絶縁されて安着されている。
【００６６】
印刷回路基板６３０は，バッテリーセル６２０の上部であって安着溝６１３内の入口側にバッテリーセル６２０の上面と平行するようにその縁が側面部６１２に固定されて設置されている。
【００６７】
コネクター６４０は，印刷回路基板６３０とパレット６６０に安着されたＩＣチップ６７０間を相互電気的に連結させると共に，印刷回路基板６３０を介したＩＣチップ６７０の電気的信号を外部に連結するように設置されている。
【００６８】
上部ケース６５０は平面形成された上面部６５１とその上面部６５１の縁から下向きに延びて側面を形成する側面部６５２で構成される。側面部６５２の４面のうち３面は下部ケース６１０の側面部６１２の３面と対応形成されて，組立時両側端部が接着部６９４により相互固定接着される。側面部６５２の４面のうち残りの一面は開放されて，その開放面は側面部６５２の下向長さの大きさの開口部６５３で形成されている。
【００６９】
パレット６６０はその上面に前記ＩＣチップ６７０を装着できる装着溝６６１が形成されて，上部ケース６５０の一面に形成された開口部６５３を介して出入可能であるように構成されている。ＩＣチップ６７０を装着した後，開口部６５３を介してパレット６６０を挿入装着する場合，そのパレット６６０は印刷回路基板６３０の上面に位置してコネクター６４０と連結されるようにすることによって，ＩＣチップ６７０がコネクター６４０を介して印刷回路基板６３０と電気的に通じることができるようにそのパレット６６０を構成する。
【００７０】
異物防止部６８０は，下部ケースの一側面部６１２の上端に小さいグルーブ（Ｇｒｏｏｖｅ）を形成するように構成されて前記開口部６５３の入口を形成している。インシュレーター６９１〜６９３は，それぞれバッテリーセル６２０の上面と下面に形成されていて，また印刷回路基板６３０とパレット６６０間に位置してそれらの間を絶縁している。
【００７１】
図１７は図１６のように構成されたバッテリーパック６００の使用状態図であって，移動通信端末機１０のバッテリー装着部にバッテリーパック６００が装着されていることを示した図面である。
【００７２】
続いて，図１６のように構成されたバッテリーパック６００を有した本発明の移動通信端末機１０の作用を説明する。
【００７３】
先に，パレット６６０を開口部６５３を介して外部に取り出した次に，そのパレット６６０の装着溝６６１内にＩＣチップ６７０を装着した後，そのＩＣチップ６７０が装着されたパレット６６０を開口部６５３を介して取り出す時と反対に挿入すれば，ＩＣチップ６７０と印刷回路基板６３０がコネクター６４０を介して相互電気的に連結される。
【００７４】
上記のようなバッテリーパック６００を，図１７のように移動通信端末機１０のバッテリーパック装着溝に装着すれば，コネクター６４０を介して印刷回路基板６３０と移動通信端末機１０の内部回路が連結されてＩＣチップ６７０を移動通信端末機１０の内部回路と電気的に連結することができるようになって，ＩＣチップ６７０の回路設計によって各種機能を具現することができるようになる。
【００７５】
図１８は，本発明の一実施形態による無線周波数アンテナを内蔵した移動通信端末機用バッテリーパックを示す図面であって，バッテリーパック内に交通カード機能を持ったＩＣチップが内蔵された場合の構造を示している。図２の近距離通信モジュール１０５のＲＦ通信のための無線周波数（Ｒａｄｉｏ  Ｆｒｅｑｕｅｎｃｙ：ＲＦ）アンテナを，移動通信端末機用バッテリーパックに装着して交通及び金融サービスのために用いることができるようにするために既存のバッテリーパックの構造を改良した，ＲＦアンテナを内蔵した移動通信端末機用バッテリーパックを示したものである。
【００７６】
図１８に示したように，ＩＣチップ（図示せず）が内蔵されたバッテリーパック８１０；及びバッテリーパック８１０の一面上に装着されたＲＦアンテナ機能を具備した印刷回路基板８２０で構成されている。
【００７７】
印刷回路基板８２０は，ＩＣチップと信号連結のために複数個の端子１〜８で形成されたＩＣチップコネクター（Ｃｏｎｎｅｃｔｏｒ）８２１，コネクター８２１のアンテナ用端子４，８に連結して，アンテナと給電線（ｆｅｅｄｅｒ）間のインピーダンスマッチング（Ｉｍｐｅｄｅｎｃｅ  Ｍａｔｃｈｉｎｇ）のためのインピーダンスマッチング回路部８２２，アンテナ用端子４，８に連結されて形成されたループアンテナ８２３，及びバッテリーの安全のためのバッテリー保護回路部とＩＣチップを制御するマイコン回路部などで構成された一般回路部８２４が形成されている。印刷回路基板８２０のコネクター８２１が，ＩＣチップに接続されるようにその印刷回路基板８２０がバッテリーパック８１０の一面上に装着されている。
【００７８】
ループアンテナ８２３は，印刷回路基板８２０上の縁に沿ってアンテナ用端子４，８と連結されるループ型溝８２３ａが掘られて，その溝８２３ａ内に巻かれた導線８２３ｂで構成されている。
【００７９】
一般回路部８２４は，基本的にバッテリーの安全を担当するバッテリー保護回路部があって，ＩＣチップにアクセス（ａｃｃｅｓｓ）して制御するためのマイコン（μ−ＣＯＭ）回路などが具備されている。
【００８０】
コネクター８２１は，マイコン回路によるＩＣチップの制御のためにこれらの間を電気的に連結するコネクター端子１，２，３，５，６，７及び元来のＩＣチップ接続以外の機能が必要である時に用いるため，余分に備えられた端子である。本実施形態でＲＦループアンテナ８２３とＩＣチップ間を相互電気的に連結するアンテナ用端子４，８で構成されている。
【００８１】
インピーダンスマッチング回路部８２２は，ＲＦアンテナ技術のうち最も重要な構成要素で電波がアンテナを介して空中に放射されるために適切なインピーダンスマッチングが必要だが，このためにインダクター（Ｉｎｄｕｃｔｏｒ）とキャパシター（Ｃａｐａｃｉｔｏｒ）を組み合わせて構成されたものである。
【００８２】
図１８のように構成された本発明の一実施形態によるバッテリーパックの作用を説明する。コネクター８２１の端子１〜３，５〜７を介して，バッテリーパック８１０に内蔵されたＩＣチップ（図１６の構造参照）と一般回路部８２４のマイコンが通信をして，そのＩＣチップに内蔵された各種機能を遂行する。この時，アンテナ用端子４，８を介して，ＩＣチップとＲＦループアンテナ８２３が連結される。これらの間をインピーダンスマッチング回路部８２２が相互インピーダンスマッチングして，最適のＲＦＩＤ用無線周波数を放射することによって，交通料金精算などのための交通端末機（例えば，バスや地下鉄入／出口に設置した非接触式料金精算機としての交通端末機）と通信して交通カードとしての機能を遂行する。したがって，図１８のように構成されたバッテリーパックを移動通信端末機に装着して電源を供給すると共に，交通カードまたはクレジットカードのようなＩＣカード（すなわち，ＵＩＭカード）の機能を遂行することができる。
【００８３】
図１９は本発明の他の実施形態による無線周波数アンテナを内蔵した移動通信端末機用バッテリーパックを示す図面である。移動通信端末機の本体内に交通カード機能を持ったＩＣチップが内蔵された場合の構造を示し，図２の近距離通信モジュール１０５のＲＦ通信のための無線周波数アンテナを移動通信端末機用バッテリーパックに装着して交通及び金融サービスのために用いることができるようにするために既存のバッテリーパックの構造を改良した，ＲＦアンテナを内蔵した移動通信端末機用バッテリーパックを示したものである。
【００８４】
図１９に示したように，ＲＦアンテナ機能をするマイクロストリップライン９１１と，そのマイクロストリップライン９１１と移動通信端末機の本体（図示せず）に内蔵された交通カード機能を有するＩＣチップ（図示せず）間を連結するアンテナ用接続端子９１２及びアンテナ用接続端子９１２に連結されてマイクロストリップライン９１１と給電線（図示せず）間のインピーダンスマッチングのためにインダクターとキャパシターの組合で構成されたインピーダンスマッチング回路部９１３が形成された印刷回路基板９１０が移動通信端末機に装／脱着されて電源を供給するバッテリーパック９２０の一面上に装着されている。
【００８５】
このように構成された本発明のバッテリーパックの作用を説明すると，図１９のバッテリーパックを移動通信端末機の本体に装着すれば，接続端子９１２を介して図２のように移動通信端末機１０の本体内に内蔵されたＩＣチップとマイクロストリップライン９１１が電気的に連結される。これらの間をインピーダンスマッチング回路部９１３が，インピーダンスマッチングして最適のＲＦＩＤ用無線周波数を放射することによって，交通料金精算などのための交通端末機（例えば，バスや地下鉄入／出口に設置した非接触式料金精算機としての交通端末機）との通信をして交通カードまたはクレジットカードとしてのＵＩＭカードの機能を遂行することができるようにする。
【産業上の利用可能性】
【００８６】
本発明は，金融情報を有した加入者身元確認カードが内蔵された移動通信端末機及びこれを通じた移動通信サービス利用方法に適用可能である。
【図面の簡単な説明】
【００８７】
【図１】本発明による全体システムの構成を概略的に示したブロック図である。
【図２】本発明による移動通信端末機の構造を概略的に示したブロック図である。
【図３】本発明による近距離通信モジュールを利用した決済システムの一実施形態を示した構成図である。
【図４】本発明による近距離通信モジュールを利用した決済システムの一実施形態を示した構成図である。
【図５】本発明による移動通信端末機での各種サービス利用過程を示したフローチャートである。
【図６】本発明の第１実施形態によるクレジットカードを利用した決済過程を示したフローチャートである。
【図７】本発明の第２実施形態による直払いカードを利用した決済過程を示したフローチャートである。
【図８】本発明の第３実施形態による先払いカードを利用した決済過程を示したフローチャートである。
【図９】本発明の第４実施形態による先払いカードの充填過程を示したフローチャートである。
【図１０】本発明の第５実施形態によるチケット発行過程を示したフローチャートである。
【図１１】本発明の第６実施形態によるチケット使用過程を示したフローチャートである。
【図１２】本発明による取引内訳照会画面の一例を示した例示図である。
【図１３】本発明による取引内訳照会画面の一例を示した例示図である。
【図１４】本発明の第７実施形態によるＩＣカードの発給過程を説明するフローチャートである。
【図１５】本発明の第８実施形態によるＩＣカードの解約過程を説明するフローチャートである。
【図１６】本発明の一実施形態によるＩＣチップが装着可能な移動通信端末機用バッテリーパックの縦断面図である。
【図１７】図１６のように構成された本発明のバッテリーパックの使用状態図であって，本発明による移動通信端末機のバッテリー装着部にバッテリーパックが装着されていることを示した図面である。
【図１８】本発明の一実施形態による無線周波数アンテナを内蔵した移動通信端末機用バッテリーパックを示す図面であって，バッテリーパック内に交通カード機能を有したＩＣチップが内蔵された場合の構造を示す。
【図１９】本発明の他の実施形態による無線周波数アンテナを内蔵した移動通信端末機用バッテリーパックを示す図面であって，移動通信端末機の本体内に交通カード機能を持ったＩＣチップが内蔵された場合の構造を示す。
【図１】
2005525632.tif 000003
【図２】
2005525632.tif 000004
【図３】
2005525632.tif 000005
【図４】
2005525632.tif 000006
【図５】
2005525632.tif 000007
【図６】
2005525632.tif 000008
【図７】
2005525632.tif 000009
【図８】
2005525632.tif 000010
【図９】
2005525632.tif 000011
【図１０】
2005525632.tif 000012
【図１１】
2005525632.tif 000013
【図１２】
2005525632.tif 000014
【図１３】
2005525632.tif 000015
【図１４】
2005525632.tif 000016
【図１５】
2005525632.tif 000017
【図１６】
2005525632.tif 000018
【図１７】
2005525632.tif 000019
【図１８】
2005525632.tif 000020
【図１９】
2005525632.tif 000021
【国際調査報告】
2005525632.tif 000022